【手続補正書】
【提出日】平成17年8月30日(2005.8.30)
【手続補正１】
【補正対象書類名】特許請求の範囲
【補正対象項目名】全文
【補正方法】変更
【補正の内容】
【特許請求の範囲】
【請求項１】
(i)   ＵＶおよび可視光を通すレンズブロックを得るステップと、
(ii)  可視およびＵＶ光の少なくとも一方により硬化可能な接着剤をレンズブランクの第１の面および前記レンズブロックの少なくとも一方に塗布するステップと、
(iii) 前記レンズ取り付け面と対向する前記レンズブランクの前記第１の面および前記レンズ取り付け面と反対側を向く逆の第２の面を持った前記レンズブランクを前記レンズブロックに向けて付勢するステップと、
(iv)  ＵＶおよび可視光を発生させ、この光を前記レンズブロックを介して前記接着剤に伝え、前記接着剤の硬化をもたらすのに充分な時間に亙ってある波長および強度の前記光を照射するステップと、
(v)   硬化による寸法変化が充分小さく、前記レンズブランクに過度の応力を与えずに３０秒未満で固まることができ、前記レンズブランクと前記レンズブロックとの間に大きな剥離力を与えた場合、レンズまたはレンズブランクの損傷、あるいは前記レンズに残留物を残すことなく全面的接着破壊が可能となるように、前記接着剤が選択されるステップと
を具えたレンズブランクブロッキング方法。
【請求項２】
前記レンズブロックは、(ii),(iii)および(iv)のステップ中に前記レンズ取り付け面がほぼ水平に向けられ、
前記レンズブランクは、(iii)および(iv)のステップ中に前記レンズブロックに対してあらかじめ設定された向きに保たれる
請求項１に記載の方法。
【請求項３】
前記第１の面の輪郭が(iii)のステップの前に決定され、
前記第１の面は、(iv)のステップ中に前記レンズ取り付け面から予め設定された距離に保たれる
請求項２に記載の方法。
【請求項４】
(i)   レンズブランクをレンズ位置合わせステーションに置くステップと、
(ii)  レンズの向きおよび位置のパラメータを決定するステップと、
(iii) (ii)のステップから前記向きを保ちつつ前記レンズブランクを検査ステーションに移送するステップと、
(iv)  前記レンズブランクの第１の面の輪郭をマッピングする一方、前記向きを保つと共に面輪郭データを生成して記憶するステップと、
(v)   ＵＶおよび可視光を通すレンズ取付ブロックをレンズブロッキングステーションに設置するステップと、
(vi)  ＵＶおよび可視帯域内の光によって硬化可能な接着剤を前記レンズ取り付け面および前記第１の面の少なくとも一方に塗布するステップと、
(vii) 前記レンズブランクを前記レンズをブロッキングステーションに移送し、前記向きを保ちつつ前記第１の面を前記レンズ取り付け面と対向状態で前記レンズブランクを前記レンズ取り付け面の上に置くステップと、
(viii)前記第１の面が前記レンズ取り付け面からあらかじめ設定された距離となるまで前記レンズブランクを前記レンズ取り付け面の接着剤に向けて動かし、前記接着剤を前記レンズ取り付け面と前記第１の面との間に延在させるステップと、
(ix)  前記接着剤の硬化をもたらすのに充分な時間に亙ってある波長および強度のＵＶおよび可視光を前記レンズブロックに通し、これにより前記レンズブランクを前記レンズブロックに接着させるステップと、
(x)   前記第１の面の面輪郭データを前記レンズブロックに関するデータと関係付け、この参照データを記憶するステップと、
(xi)  前記レンズブロックをこれに装着された前記レンズブランクと共に前記ブロッキングステーションから取り出すステップと
を具えたレンズブロッキング方法。
【請求項５】
前記レンズブランクは前記第１の面と反対側の第２の面を有し、
前記第２の面の位置を決定するステップと、
前記レンズブロックの前記データに対する前記第２の面の前記位置を関係付けるステップと
をさらに具えた請求項４に記載のレンズブロッキング方法。
【請求項６】
前記接着剤は、
充分に高粘度なものであって、(ix),(x)および(xi)のステップ中に流出を回避し、
硬化がレンズの創成中のレンズの振れに抵抗するための支持をもたらし、
前記レンズ創成中にレンズ表面仕上げ工具によって前記レンズに伝わる振動を吸収し、
前記レンズブランクと前記レンズブロックとの間に作用する大きな剥離力の印加に対してレンズまたはレンズブロックの損傷や、あるいは前記レンズに残留物を残さずに全面的接着破壊が可能となる
ように選択される請求項５に記載のレンズブロッキング方法。
【請求項７】
前記接着剤は、
前記レンズブランクに過度の応力を与えずに３０秒未満で固まることができ、
レンズコーティング硬化と関係付けられた熱による変形がない
ようにさらに選択される請求項６に記載のレンズブロッキング方法。
【請求項８】
(ii)のステップは、以下の
(ａ)  望ましいレンズブランクの位置および向きの画像をスクリーンに生成するサブステップと、
(ｂ)  レンズ位置合わせステーションにあるレンズブランクの向きを示す画像をスクリーンに生成するサブステップと、
(ｃ)  (ｂ)のステップにおける画像が(ａ)のステップにおける画像に対応するように前記レンズブランクの位置および向きを合わせるサブステップと
を具えた請求項４に記載の方法。
【請求項９】
(ii)のステップがコンピュータ画像認識を用いて行われ、記憶される向きおよび位置のパラメータを生成すると共に(iv)のステップにて関係付けられる第１の面の面輪郭データの部分を形成する請求項７に記載の方法。
【請求項１０】
眼用レンズブランクブロッキング装置であって、
レンズブランクを収容するレンズブランク収容ステーションと、
ＵＶおよび可視光を通すレンズブロックを収容すると共に前記レンズブロックを前記レンズブロックのレンズ取り付け面と共に望ましい向きに支持し、かつＵＶおよび可視光を通すことができるレンズブロック支持体を有するレンズブロッキングステーションと、
前記レンズブランクを選択的に掴み上げて保持し、前記レンズブランクを前記レンズブロック支持体の上方に動かし、前記レンズブランクを前記レンズブランク支持体に向けて動かすレンズホルダを有するレンズ搬送装置と、
前記レンズブロック支持体と連係し、ＵＶおよび可視光を放射してこの光が前記レンズブロックを通るように向けられた光源と、
前記光源に連結され、前記光源の起動および起動停止を制御する光源アクチュエータと、
前記レンズブロッキングステーションと連係し、レンズブランクを前記レンズ取り付け面に接着させるためのＵＶおよび可視光で硬化可能な接着剤を供給する接着剤ディスペンサと、
このディスペンサに連結され、当該ディスペンサに前記接着剤を供給させるディスペンサアクチュエータと、
前記搬送装置，前記ディスペンサアクチュエータ，前記光源アクチュエータとつながってこれらの作動を制御するコントローラと
を具えた眼用レンズブロッキング装置。
【請求項１１】
前記ディスペンサは、ディスペンサノズルと、これに連結され、かつ前記レンズブロック支持体に支持されたレンズブロックの前記レンズ取り付け面に近接する使用位置と、前記レンズブランクおよび前記搬送装置から離れた格納位置との間で前記ノズルを動かすためのノズルマニプレータとを有し、
前記コントローラは、前記ノズルマニプレータとさらにつながり、前記ノズルの使用および格納を制御する
請求項１０に記載の装置。
【請求項１２】
前記第１のステーションは、
望ましいレンズ位置合わせ画像を生成する第１の画像発生器および前記レンズブランクの実際の向きを示す第２の画像を生成する第２の画像発生器を持ったレンズ位置合わせ指標と、
前記第１および第２の画像発生器とつながり、前記実際の向きが前記望ましい向きと対応するように前記レンズブランクの操作を導くため、前記第２の画像に対して前記第１の画像を表示する画像比較器と
を有する請求項１１に記載の装置。
【請求項１３】
前記装置は、前記レンズブランクが前記レンズ搬送装置によって置くことができる検査ステーションをさらに有し、この検査ステーションは、第１の面の輪郭を決定するために前記レンズブランクの第１の面の輪郭をマッピングする複数のレンズ検査要素を有し、
前記コントローラは、前記検査ステーションとつながって第１のデータに対する前記第１の面の輪郭に関する情報を受け取り、
前記搬送装置は、前記レンズブランクを前記望ましい向きに保持しつつ前記検査ステーションと前記ブロッキングステーションとの間で前記レンズブランクを動かすように構成され、
前記コントローラは、前記搬送装置が前記レンズを前記レンズブロックに近接して置き、前記第１の面を前記レンズ取り付け面からあらかじめ設定した一定距離離し、前記接着剤の硬化中に前記一定距離を保持するように構成され、
前記コントローラは、前記第１の面の輪郭情報を前記レンズブロックと関係付けられた第２のデータに変換し、この第２のデータに関する情報を記憶する
請求項１２に記載の装置。
【請求項１４】
前記レンズ搬送装置は、前記第１の面に対する前記第２の面の位置を決定し、この第２の面の位置を前記コントローラに伝える第２の面位置プローブを有する
請求項１３に記載の装置。
【請求項１５】
前記ディスペンサノズルは、ディスペンサ本体に移動可能に取り付られたディスペンサアームに取り付けられ、
前記ディスペンサは、前記コントローラとつながって前記ディスペンサアームを前記ディスペンサ本体に対し前記使用および格納位置の間で動かすアームアクチュエータを有し、
前記ノズルは、前記ＵＶ硬化型接着剤を前記ノズルに供給する加圧手段を持ったＵＶ硬化型接着剤供給源と流体的につながっており、
前記コントローラは、前記ノズルを通る前記接着剤の供給を制御するために前記ノズルに組み合わされた遮断機構とつながっている
請求項１３に記載の装置。
【請求項１６】
前記ディスペンサノズルは、ディスペンサ本体に移動可能に取り付けられたディスペンサアームに取り付けられ、
前記ディスペンサは、前記コントローラとつながって前記ディスペンサアームを前記ディスペンサ本体に対して前記使用および格納位置の間で動かすアームアクチュエータを有し、
前記ノズルは、前記ＵＶ硬化可能接着剤を前記ノズルに供給する加圧手段を持ったＵＶ硬化型接着剤供給源と流体的につながり、
前記コントローラは、前記ノズルを通る前記接着剤の供給を制御するために前記ノズルに組み合わされた遮断機構とつながっている
請求項１４に記載の装置。
【請求項１７】
前記装置は、前記ＵＶ光源が起動している場合、オペレータをＵＶ光から保護するためのＵＶシールドを有する
請求項１６に記載の装置。
【請求項１８】
前記ＵＶシールドは前記搬送装置に取り付けられ、
前記ＵＶシールドは、前記搬送装置とつながった安全センサに連結され、前記シールドが障害物に遭遇した場合、前記搬送装置の動作を中断させる
請求項１７に記載の装置。
【請求項１９】
前記安全センサは、前記コントローラとつながり、前記コントローラは、前記搬送装置の前記動作を中断させる
請求項１８に記載の装置。
【請求項２０】
放射線硬化型有機樹指と、
接着促進剤と、
接着硬化剤と、
光開始剤と
を具えたレンズブロッキングで用いる放射線硬化型コーティング組成物。
【請求項２１】
放射線硬化型有機樹指と、
接着促進剤と、
接着硬化剤と
を具えた放射線硬化型コーティング組成物。
【請求項２２】
コーティング組成物がおよそ７５Ａよりも大きな硬度値によって特徴付けられた請求項２１に記載のコーティング組成物。
【請求項２３】
コーティング組成物がおよそ８８Ａよりも大きな硬化値によって特徴付けられた請求項２２に記載のコーティング組成物。
【請求項２４】
接着促進剤が親電子的であって、電子不足化合物である請求項２１に記載のコーティング組成物。
【請求項２５】
接着促進剤が水溶液または水中で解離可能であって水和プロトンをもたらす酸性化合物である請求項２１に記載のコーティング組成物。
【請求項２６】
接着硬化剤が少なくとも３つの官能基を持つ多官能性のエチレン類でキャップされたモノマーまたはオリゴマーである請求項２４に記載のコーティング組成物。
【請求項２７】
硬化剤がトリアクリレート，トリ(２ヒドロキシエチル)イソシアヌレートトリアクリレート，ジペンタエリトリトールペンタアクリレート，ペンタエリトリトールテトラアクリレート，エトキシ化(４)ペンタエリトリトールテトラアクリレート，エトキシ化(３)トリメチロールプロパントリアクリレート，エチルオキシ化(６)トリメチロールプロパントリアクリレート，またはエチルオキシ化(９)トリメチロールプロパントリアクリレートからなるグループからの選択物である請求項２６に記載のコーティング組成物。
【請求項２８】
放射線硬化型有機樹脂は、脂肪族ウレタン，芳香族ウレタン，ポリエステル，ポリエーテル，またはエポキシからなるグループから選択される請求項２７に記載のコーティング組成物。
【請求項２９】
光開始剤をさらに具えた請求項２８に記載のコーティング組成物。
【請求項３０】
この光開始剤は Norris Ｉ型開裂を経ることができる請求項２９に記載のコーティング組成物。
【手続補正２】
【補正対象書類名】明細書
【補正対象項目名】００６３
【補正方法】変更
【補正の内容】
【００６３】
ＵＶ/可視光により硬化可能な接着剤を供給するディスペンサが参照符号２３０によって概ね示されている。ディスペンサ２３０は、ディスペンサアーム２３４の一端にディスペンサノズル２３２を有する。参照符号２３６により示す如きモータあるいは直動または他のアクチュエータであってよいアームアクチュエータは、レンズブロック２１０のレンズ取り付け面２１２に配されるレンズと干渉しないように、アーム２３４をレンズ取り付け面２１２に隣接する使用位置（図１５）から、レンズ取り付け面２１２およびレンズ搬送装置２６から離れた格納位置（図１４）へと動かすように設けることができる。
【手続補正３】
【補正対象書類名】明細書
【補正対象項目名】００６７
【補正方法】変更
【補正の内容】
【００６７】
ＵＶ光源２２０は、ＵＶ帯域および可視帯域内の高強度の短期パルス光を発する Xenon Corporation によって製造された如きフラッシュランプを好ましくは組み込んでいる。この光源２２０の一例は、フラットスパイラル１０６.６８ミリメートルランプまたは８８.９ミリメートルフラットスパイラルキセノンガス充填ガリウム添加透明溶融石英ランプを有する Xenon Model RC-742 である。シングルヘッドまたはダブルヘッドシステムが適当である。ダブルヘッドシステムに関し、共通電源をブロッキングおよび配線の機能の間で割り当てることができる。この装置の一実施形態が米国特許第４１６７６６９号に記述されており、これを参照することによってこの明細書に組み入れられる。光の波長がおよそ２５０から５００ナノメートルにあるべきである。実際問題として、より短波長の光が硬化速度に寄与する一方、より長い波長がより良好な硬化深さをもたらすことが見いだされた。
【手続補正４】
【補正対象書類名】明細書
【補正対象項目名】００７３
【補正方法】変更
【補正の内容】
【００７３】
また、キセノンフラッシュランプの形態は、実質的に無制限である。良好な結果が約８８.９ミリメートルの直径のスパイラルランプで得られており、一般的な円形のレンズブランクに応じて直径が７６.２ミリメートルから８８.９ミリメートルまで変わる可能性がある。これに対し、溶融ＵＶランプは、ランプの型式のためおよびマイクロ波起動点火の制約のため、直線状の形態に制限される。